(57)【要約】【課題】携帯機器を充電装置のような外部装置から切り離した状態であっても受信状態を改善することが可能で、しかも電力消費の増大を抑制することが可能なデジタル放送受信装置を提供する。【解決手段】本発明のデジタル放送受信装置は、複数のアンテナ１、３と、複数のアンテナ１、３が受信したデジタル放送の信号をそれぞれ受信処理する複数の受信部２、４と、複数の受信部２、４がそれぞれ出力する受信信号を合成処理する合成部５と、を備えるデジタル放送受信装置１８であって、デジタル放送受信装置１８と所定の充電装置１９との接続の有無を検出するコネクタ１４と、所定の充電装置１９との接続が有ることをコネクタ１４により検出した場合に、合成部５における合成処理を実行するＣＰＵ１２と、を備えることを特徴とする。【選択図】図１
2008205701.tif 000002
【特許請求の範囲】
【請求項１】
複数のアンテナと、
前記複数のアンテナが受信したデジタル放送の信号をそれぞれ受信処理する複数の受信手段と、
前記複数の受信手段がそれぞれ出力する受信信号を合成処理するダイバーシティ処理手段と、
を備えるデジタル放送受信装置であって、
当該デジタル放送受信装置と所定の充電装置との接続、もしくは当該デジタル放送受信装置と外部電源との接続の有無を検出する外部電源検出手段と、
前記所定の充電装置もしくは前記外部電源との接続が有ることを前記外部電源検出手段により検出した場合に、前記ダイバーシティ処理手段における合成処理を実行する受信制御手段と、
を備えることを特徴とするデジタル放送受信装置。
【請求項２】
複数のアンテナと、
前記複数のアンテナが受信したデジタル放送の信号をそれぞれ受信処理する複数の受信手段と、
前記複数の受信手段がそれぞれ出力する受信信号を合成処理するダイバーシティ処理手段と、
を備えるデジタル放送受信装置であって、
所定の充電装置から当該デジタル放送受信装置への電力供給の有無、もしくは外部電源から当該デジタル放送受信装置への電力供給の有無を検出する外部電源検出手段と、
前記所定の充電装置もしくは前記外部電源からの電力供給が有ることを前記外部電源検出手段により検出した場合に、前記ダイバーシティ処理手段における合成処理を実行する受信制御手段と、
ことを特徴とするデジタル放送受信装置。
【請求項３】
前記ダイバーシティ処理手段から出力される信号を復調する復調手段を備え、
前記受信制御手段は、前記所定の充電装置もしくは前記外部電源との接続が無いこと、または、前記所定の充電装置もしくは前記外部電源からの電力供給が無いことを前記外部電源検出手段により検出した場合に、前記復調手段において復調した受信信号のビット誤り率の値の大小に基づいて、前記ダイバーシティ処理手段における合成処理の実行を制御する、
ことを特徴とする請求項１または２記載のデジタル放送受信装置。
【請求項４】
前記ダイバーシティ処理手段は、前記複数の受信手段のそれぞれが検出した受信信号に関する搬送波対雑音比を検出するＣ／Ｎ比検出手段を含み、前記Ｃ／Ｎ比検出手段が検出した各受信信号の搬送波対雑音比に応じた重付係数をそれぞれの受信信号に乗算して重み付け加算することにより得られる合成結果を、最大比合成ダイバーシティ処理された受信信号として出力する、
ことを特徴とする請求項１から３のいずれか一項に記載のデジタル放送受信装置。
【請求項５】
複数のアンテナが受信したデジタル放送の信号をそれぞれ受信処理する受信ステップと、
前記受信ステップにて受信処理した受信信号を合成処理するダイバーシティ合成ステップと、
デジタル放送受信装置と所定の充電装置との接続、もしくは前記デジタル放送受信装置と外部電源との接続が有ること検出している場合に、前記ダイバーシティ合成ステップにて合成処理を実行させる制御ステップと、
を備えることを特徴とする受信制御方法。
【請求項６】
複数のアンテナが受信したデジタル放送の信号をそれぞれ受信処理する受信ステップと、
前記受信ステップにて受信処理した受信信号を合成処理するダイバーシティ合成ステップと、
充電装置からデジタル放送受信装置への電力供給、もしくは外部電源からデジタル放送受信装置への電力供給が有ること検出している場合に、前記ダイバーシティ合成ステップにて合成処理を実行させる制御ステップと、
を備えることを特徴とする受信制御方法。
【請求項７】
前記ダイバーシティ合成ステップにて合成処理した信号を復調する復調ステップを有し、
前記制御ステップは、前記所定の充電装置もしくは前記外部電源との接続が無いこと、または、前記所定の充電装置もしくは前記外部電源からの電力供給が無いことを検出している場合に、前記復調ステップにて復調した受信信号のビット誤り率の値の大小に基づいて、前記ダイバーシティ合成ステップにて合成処理の実行を制御する、
ことを特徴とする請求項６または７記載の受信制御方法。
【請求項８】
前記受信ステップにて受信処理した受信信号に関する搬送波対雑音比を検出するＣ／Ｎ比検出ステップを有し、
前記ダイバーシティ合成ステップは、前記Ｃ／Ｎ比検出ステップにて検出した各受信信号の搬送波対雑音比に応じた重付係数をそれぞれの受信信号に乗算して重み付け加算することにより得られる合成結果を、最大比合成ダイバーシティ処理された受信信号として出力する、
請求項５から７のいずれか一項に記載の受信制御方法。
【発明の詳細な説明】
【技術分野】
【０００１】
本発明は、デジタル放送受信装置及び受信制御方法に関し、例えば携帯電話端末や携帯型情報端末（ＰＤＡ）のような携帯機器に適用するのに好適な技術に関する。
【背景技術】
【０００２】
近年では、テレビジョン放送などのデジタル放送が実施されており、様々な機器を用いてデジタル放送を受信することができる。日本の地上デジタルテレビジョン放送（ＩＳＤＢ−Ｔ）では、１つのチャンネルが１３のセグメントに分かれた構造となっており、ハイビジョン放送では１２セグメント割り当てられている。モバイル端末向けにおいては、画面が小さいため低解像度で良く、１セグメントが割り当てられており、高性能のアンテナや高性能の受信装置を利用できない携帯機器であっても比較的放送電波の受信が容易となっている。
【０００３】
しかし、移動時においては電波状況が刻々と変化するため、常に良好な状態で放送を受信できるとは限らない。例えば、受信電波の減衰が大きい環境や、フェージングの発生する環境や、ノイズの多い環境などにおいては良好な状態でデジタル放送を視聴できない可能性が高い。
【０００４】
従来より、家庭用の一般的なテレビジョン受像機などにおいては、受信環境が悪い場合には、複数の受信アンテナを接続することによりダイバーシティ受信を実施し、受信環境を改善することが行われている。
【０００５】
また、例えば特許文献１においては、携帯機器で放送を受信する場合にダイバーシティ受信を実施することが開示されている。具体的には、充電装置上にアンテナを搭載しておき、携帯機器を充電装置に接続した状態で充電しながらテレビジョン放送を受信する場合には、携帯機器上のアンテナと充電装置上のアンテナとの双方を用いてダイバーシティ受信を実施することを提案している。
【特許文献１】特開２００５−１３６７２４号公報
【発明の開示】
【発明が解決しようとする課題】
【０００６】
しかしながら、特許文献１に開示された技術では、充電装置上のアンテナを利用しなければダイバーシティ受信を実施できないので、携帯機器を充電装置から切り離して単独で使用する場合にはダイバーシティ受信をすることができず、受信状態を改善できない。
【０００７】
また、携帯電話端末のような携帯機器の場合には高性能の大型のアンテナを搭載できないという制約がある。更に、電力容量の限られる電池を電源として利用するので、電力消費の増大を抑制する必要があり、受信回路の構成を複雑にするのにも問題がある。
【０００８】
本発明は、携帯機器を充電装置のような外部装置から切り離した状態であっても受信状態を改善することが可能で、しかも電力消費の増大を抑制することが可能なデジタル放送受信装置及び受信制御方法を提供することを目的とする。
【課題を解決するための手段】
【０００９】
本発明のデジタル放送受信装置は、複数のアンテナと、前記複数のアンテナが受信したデジタル放送の信号をそれぞれ受信処理する複数の受信手段と、前記複数の受信手段がそれぞれ出力する受信信号を合成処理するダイバーシティ処理手段と、を備えるデジタル放送受信装置であって、当該デジタル放送受信装置と所定の充電装置との接続、もしくは当該デジタル放送受信装置と外部電源との接続の有無を検出する外部電源検出手段と、前記所定の充電装置もしくは前記外部電源との接続が有ることを前記外部電源検出手段により検出した場合に、前記ダイバーシティ処理手段における合成処理を実行する受信制御手段と、を備えることを特徴とする。
【００１０】
本発明のデジタル放送受信装置は、複数のアンテナと、前記複数のアンテナが受信したデジタル放送の信号をそれぞれ受信処理する複数の受信手段と、前記複数の受信手段がそれぞれ出力する受信信号を合成処理するダイバーシティ処理手段と、を備えるデジタル放送受信装置であって、所定の充電装置から当該デジタル放送受信装置への電力供給の有無、もしくは外部電源から当該デジタル放送受信装置への電力供給の有無を検出する外部電源検出手段と、前記所定の充電装置もしくは前記外部電源からの電力供給が有ることを前記外部電源検出手段により検出した場合に、前記ダイバーシティ処理手段における合成処理を実行する受信制御手段と、ことを特徴とする。
【００１１】
この構成により、充電装置もしくは外部電源が接続されているか又は充電装置もしくは外部電源から電力が供給されている状態を認識した場合には、受信状態が悪化していない場合であっても、ダイバーシティ受信を許可する。従って、受信状態が特に悪化していない場合であっても、ダイバーシティ受信により受信状態を改善できる。充電装置もしくは外部電源が接続されているか又は充電装置もしくは外部電源から電力が供給されている状態では、電池の消耗を考慮する必要がないので、ダイバーシティ受信を実施することにより消費電力が増加しても問題は生じないと考えられる。
【００１２】
また、本発明のデジタル放送受信装置は、前記ダイバーシティ処理手段から出力される信号を復調する復調手段を備え、前記受信制御手段が、前記所定の充電装置もしくは前記外部電源との接続が無いこと、または、前記所定の充電装置もしくは前記外部電源からの電力供給が無いことを前記外部電源検出手段により検出した場合に、前記復調手段において復調した受信信号のビット誤り率の値の大小に基づいて、前記ダイバーシティ処理手段における合成処理の実行を制御する、ものを含む。
【００１３】
この構成により、ビット誤り率（ＢＥＲ：Bit Error Rate）と予め用意した閾値とを比較することにより検出した受信状態の悪化の有無を認識し、受信状態の悪化を検出したか否かに応じて、ダイバーシティ受信をするか否かを受信制御手段が自動的に切り替える。すなわち、受信状態が悪化してダイバーシティ受信をする場合には、前記ダイバーシティ処理手段における合成処理を許可するとともに、前記複数の受信手段を利用して受信処理を実施する。また、受信状態が悪化していないときには、前記ダイバーシティ処理手段における合成処理を中止するとともに、前記複数の受信手段の１つだけを利用し残りの受信手段を停止した状態で受信処理を実施する。
【００１４】
したがって、充電装置および外部電源が接続されていない、又は充電装置および外部電源から電力が供給されていない状態であっても、受信状態が悪化した環境においては、ダイバーシティ受信を実施して受信状態を改善することができる。また、受信状態が悪化していない環境においては、すなわちダイバーシティ受信を実施しなくても良好な状態でデジタル放送を受信できるような場合には、ダイバーシティ受信を中止して複数の受信手段の１つだけを利用するので、電力消費の増大を抑制できる。なお、利用しない残りの受信手段については、電力供給を一時的に遮断しても良い。
【００１５】
本発明のデジタル放送受信装置は、前記ダイバーシティ処理手段が、前記複数の受信手段のそれぞれが検出した受信信号に関する搬送波対雑音比を検出するＣ／Ｎ比検出手段を含み、前記Ｃ／Ｎ比検出手段が検出した各受信信号の搬送波対雑音比に応じた重付係数をそれぞれの受信信号に乗算して重み付け加算することにより得られる合成結果を、最大比合成ダイバーシティ処理された受信信号として出力する、ものを含む。
【００１６】
この構成により、複数の受信手段のそれぞれについて検出された搬送波対雑音比（Ｃ／Ｎ比）に応じて重み付けを行ってから、複数の受信手段が出力する受信信号を加算するので、重み付けをせずに単純に加算する場合と比べて、品質の高い良好な受信信号を合成することができる。従って、効果的なダイバーシティ受信が実現する。
【００１７】
本発明の受信制御方法は、複数のアンテナが受信したデジタル放送の信号をそれぞれ受信処理する受信ステップと、前記受信ステップにて受信処理した受信信号を合成処理するダイバーシティ合成ステップと、デジタル放送受信装置と所定の充電装置との接続、もしくは前記デジタル放送受信装置と外部電源との接続が有ること検出している場合には、前記ダイバーシティ合成ステップにて合成処理を実行させる制御ステップと、を備えることを特徴とする。
【００１８】
本発明の受信制御方法は、複数のアンテナが受信したデジタル放送の信号をそれぞれ受信処理する受信ステップと、前記受信ステップにて受信処理した受信信号を合成処理するダイバーシティ合成ステップと、充電装置からデジタル放送受信装置への電力供給、もしくは外部電源からデジタル放送受信装置への電力供給が有ること検出している場合に、前記ダイバーシティ合成ステップにて合成処理を実行させる制御ステップと、を備えることを特徴とする。
【００１９】
この構成により、充電中か否かに応じて、ダイバーシティ受信を実施するか否かを自動的に切り替えることができる。従って、充電中でないときのように、電池の消耗を抑制する必要があるときには、ダイバーシティ受信を禁止して消費電力の増加を抑制でき、充電中のように消費電力の抑制が必要ないときには、ダイバーシティ受信を実施して受信状態を改善できる。
【００２０】
また、本発明の受信制御方法は、前記ダイバーシティ合成ステップにて合成処理した信号を復調する復調ステップを有し、前記制御ステップにて、前記所定の充電装置もしくは前記外部電源との接続が無いこと、または、前記所定の充電装置もしくは前記外部電源からの電力供給が無いことを検出している場合に、前記復調ステップにて復調した受信信号のビット誤り率の値の大小に基づいて、前記ダイバーシティ合成ステップにて合成処理の実行を制御する、ものを含む。
【００２１】
この構成により、充電装置および外部電源が接続されていない、又は充電装置および外部電源から電力が供給されていない状態であっても、受信状態が悪化した環境においては、ダイバーシティ受信を実施して受信状態を改善することができる。また、受信状態が悪化していない環境においては、すなわちダイバーシティ受信を実施しなくても良好な状態でデジタル放送を受信できるような場合には、ダイバーシティ受信を中止して複数の受信手段の１つだけを利用するので、電力消費の増大を抑制できる。なお、利用しない残りの受信手段については、電力供給を一時的に遮断しても良い。
【００２２】
また、本発明の受信制御方法は、前記受信ステップにて受信処理した受信信号に関する搬送波対雑音比を検出するＣ／Ｎ比検出ステップを有し、前記ダイバーシティ合成ステップにて、前記Ｃ／Ｎ比検出ステップにて検出した各受信信号の搬送波対雑音比に応じた重付係数をそれぞれの受信信号に乗算して重み付け加算することにより得られる合成結果を、最大比合成ダイバーシティ処理された受信信号として出力する、ものを含む。
【００２３】
この構成により、複数の受信手段のそれぞれについて検出された搬送波対雑音比（Ｃ／Ｎ比）に応じて重み付けを行ってから、複数の受信手段が出力する受信信号を加算するので、重み付けをせずに単純に加算する場合と比べて、品質の高い良好な受信信号を合成することができる。従って、効果的なダイバーシティ受信が実現する。
【発明の効果】
【００２４】
本発明によれば、受信状態が悪化した環境においては、ダイバーシティ受信を実施して受信状態を改善することができる。また、受信状態が悪化していない環境においては、すなわちダイバーシティ受信を実施しなくても良好な状態でデジタル放送を受信できるような場合には、ダイバーシティ受信を中止して複数の受信手段の１つだけを利用するので、電力消費の増大を抑制できる。
【発明を実施するための最良の形態】
【００２５】
本発明のデジタル放送受信装置及び受信制御方法に関する１つの実施の形態について、図１及び図２を参照しながら以下に説明する。図１は実施の形態におけるデジタル放送受信装置の構成例を示すブロック図である。図２は図１に示すデジタル放送受信装置の主要な動作例を示すフローチャートである。
【００２６】
図１に示したデジタル放送受信装置は、装置本体である携帯電話端末１８とそれに付属する充電器１９とで構成されている。携帯電話端末１８と充電器１９とは互いに独立しているが、携帯電話端末１８側に設けられたコネクタ１４と充電器１９側に設けられたコネクタ１５とを物理的に接続することにより両者を電気的に接続することができる。
【００２７】
携帯電話端末１８については、一般的な携帯電話と同等の装置であるが、特に地上デジタルテレビジョン放送の携帯機器用の信号、すなわち「ワンセグ」放送を受信して視聴するための機能も搭載している。一般的な携帯電話の機能を実現するための構成要素の表記は、図１では省略されている。
【００２８】
勿論、携帯電話端末以外の受信装置に本発明を適用することもできるし、受信対象のデジタル放送については、「ワンセグ」放送以外の放送であってもよい。
【００２９】
図１に示すように、携帯電話端末１８は、２つのアンテナ１、３と、２つのＲＦ（Radio Frequency）受信部２、４と、合成部５と、復調部６と、ＴＤ（トランスポートデコーダ）部７と、ＡＶ（音響・映像）デコード部８と、表示部９と、スピーカ１０と、メモリ１１と、マイクロプロセッサ（ＣＰＵ）１２と、電池１３と、コネクタ１４とを備えている。
【００３０】
２つのアンテナ１、３は、いずれも地上デジタルテレビジョン放送の「ワンセグ」放送の電波を受信するために用いられる。一方のアンテナ１は一方のＲＦ受信部２のアンテナ入力と接続されており、もう一方のアンテナ３はＲＦ受信部４のアンテナ入力と接続されている。
【００３１】
従って、アンテナ１が受信した「ワンセグ」放送の高周波信号は、ＲＦ受信部２に入力され、アンテナ３が受信した「ワンセグ」放送の高周波信号は、ＲＦ受信部４に入力される。
【００３２】
ＲＦ受信部２は、アンテナ１から入力される「ワンセグ」放送の高周波（ＲＦ）信号を中間周波（ＩＦ：Intermediate Frequency）の受信信号ＳＧ１に変換して合成部５に出力する。ＲＦ受信部４は、アンテナ３から入力される「ワンセグ」放送の高周波信号を中間周波の受信信号ＳＧ２に変換して合成部５に出力する。
【００３３】
合成部５はダイバーシティ受信を実現するために、独立した複数のアンテナ及び受信部から入力される２系統の受信信号ＳＧ１、ＳＧ２を合成する信号合成機能を備えている。また、２系統の受信信号ＳＧ１、ＳＧ２を最適な条件で合成するために、合成部５はＣ／Ｎ（搬送波電力対雑音電力）比検出回路を内蔵している。このＣ／Ｎ比検出回路は、ＲＦ受信部２及びＲＦ受信部４から出力されるそれぞれの受信信号ＳＧ１、ＳＧ２を処理して各々の受信信号に関するＣ／Ｎ比を検出する。
【００３４】
そして、合成部５はＲＦ受信部２から出力される受信信号ＳＧ１のＣ／Ｎ比と、ＲＦ受信部４から出力される受信信号ＳＧ２のＣ／Ｎ比とに基づいて最適な重み係数をそれぞれの受信信号について算出する。更に、算出された一方の重み係数と受信信号ＳＧ１とを乗算（重み付け）し、もう一方の重み係数と受信信号ＳＧ２とを乗算（重み付け）し、重み付けされた受信信号ＳＧ１と重み付けされた受信信号ＳＧ２とを加算した結果を中間周波の受信信号ＳＧ３として合成部５から出力する。これにより、重み付け加算の結果である受信信号ＳＧ３のＣ／Ｎ比が最大になるように処理される。すなわち、合成部５は２系統の受信信号ＳＧ１、ＳＧ２を入力して最大比合成ダイバーシティ処理を行う。
【００３５】
合成部５から出力される受信信号ＳＧ３は復調部６に入力される。復調部６は、ＯＦＤＭ（Orthogonal Frequency Division Multiplexing）信号である受信信号ＳＧ３について復調および誤り訂正の処理を行い、受信信号ＳＧ３に含まれているＴＳ（Transport Stream）を抽出して出力する。また、復調部６は誤り訂正処理において、ビタビ復号後のビット誤り発生率（ＢＥＲ：Bit Error Rate）を測定する機能を備えている。
【００３６】
ＴＤ部７は、復調部６から出力されるＴＳの種類を区別し、映像、音声、データ放送、その他データに分離して出力する。
【００３７】
ＡＶデコード部８は、ＴＤ部７から出力される信号のうち、映像と音声のデータを復号する。そして、復号された映像信号を表示部９へ出力し、復号された音声信号をスピーカ１０へ出力する。従って、表示部９で受信した放送の映像を表示することができ、スピーカ１０で放送の音声を再生することができる。
【００３８】
コネクタ１４は、携帯電話端末１８と充電器１９を接続させるための接触部で、充電器１９のコネクタ１５と電気的、物理的に接続可能な構造になっている。
【００３９】
電池１３は、携帯電話端末１８の各回路に電力を供給するための電源として利用される。また、コネクタ１４に充電器１９が接続されている場合には、充電器１９から供給される電力により充電することが可能である。また、この例では電池１３が充電中か否かを表す信号が電池１３から出力されマイクロプロセッサ１２に供給される。
【００４０】
メモリ１１は、マイクロプロセッサ１２によってデータの読み出し及び書き込みが可能な記憶装置である。
【００４１】
マイクロプロセッサ１２は、予め用意されているプログラムに従って動作し、携帯電話端末１８の全体の制御を行う。マイクロプロセッサ１２が実行する処理には、後述する図２に示すような動作も含まれている。
【００４２】
一方、充電器１９にはコネクタ１５と、充電回路１６と、充電制御部１７とが備わっている。充電回路１６は、携帯電話端末１８側の電池１３を充電するのに必要な直流電力を生成し、この直流電力をコネクタ１５を経由して携帯電話端末１８に供給する。充電制御部１７は、コネクタ１５の部分における電圧や電流の状態を監視し、その結果に応じて充電回路１６を制御する。
【００４３】
図１に示す携帯電話端末１８が「ワンセグ」放送を受信する場合の、ダイバーシティ受信に関する制御の具体例が図２に示されている。この制御はマイクロプロセッサ１２の動作を制御主体とする処理によって実現する。図２に示す内容について以下に説明する。
【００４４】
ステップＳ１では、携帯電話端末１８の電源スイッチ（図示せず）がオン状態か否かをマイクロプロセッサ１２が識別し、電源オン状態なら次のステップＳ２に進む。
【００４５】
ステップＳ２では、携帯電話端末１８上の各部の動作状態を把握し、「ワンセグ」放送のテレビ番組を視聴中か否かをマイクロプロセッサ１２が識別し、視聴中であれば次のステップＳ３に進む。
【００４６】
ステップＳ３では、電池１３から出力される信号を調べることにより、マイクロプロセッサ１２は電池１３が充電中か否かを識別する。充電中であれば次にステップＳ４に進み、充電中でなければステップＳ５に進む。
【００４７】
ステップＳ４では、マイクロプロセッサ１２は合成部５に対して、ダイバーシティ受信を実施するための命令を与える。この命令により、合成部５は、２つのＲＦ受信部２、４から出力される受信信号ＳＧ１、ＳＧ２を用いてそれらを合成することにより受信信号ＳＧ３を生成する。つまり、２系統の受信信号を用いてダイバーシティ受信を実施する。
【００４８】
ステップＳ５では、マイクロプロセッサ１２は、復調部６の内部で検出された最新のビタビ復号後のビット誤り発生率ＢＥＲを予め用意した閾値と比較することにより、受信状態が悪化しているか否かを識別する。受信状態が悪化している場合には次にステップＳ４に進み、受信状態が悪化していなければステップＳ６に進む。
【００４９】
なお、復調部６の内部では、予め定めた一定の周期（例えば１００ｍｓ）で、ビタビ復号後のビット誤り発生率ＢＥＲを繰り返し検出している。前記閾値については、具体例として、２．０×１０−４程度の値を用いることが考えられる。
【００５０】
ステップＳ６では、マイクロプロセッサ１２は合成部５に対して、「シングル受信」を実施するための命令を与える。「シングル受信」は、ダイバーシティ受信を実施せず、１系統の受信信号だけを用いて受信処理を行う動作モードを意味している。従って、合成部５はマイクロプロセッサ１２から「シングル受信」を実施するための命令を受けると、ダイバーシティ処理を中止して、ＲＦ受信部２から出力される受信信号ＳＧ１とＲＦ受信部４から出力される受信信号ＳＧ２とのいずれか一方だけを用いて受信信号ＳＧ３を生成する。また、「シングル受信」を実施する場合には、２つのＲＦ受信部２、４のうち使用しない方の回路の動作を合成部５又はマイクロプロセッサ１２が停止する。なお、２つのＲＦ受信部２、４のうち動作を停止した回路に対しては電源電力の供給を一時的に停止しても良い。
【００５１】
「シングル受信」を実施することにより、ＲＦ受信部２又はＲＦ受信部４及び合成部５の内部で消費される電力が減るので、ダイバーシティ受信を実施する場合と比べて携帯電話端末１８の消費電力を削減できる。
【００５２】
ステップＳ７では、携帯電話端末１８上の各部の動作状態を把握することにより、「ワンセグ」放送のテレビ番組を視聴中か否かをマイクロプロセッサ１２が識別し、視聴が終了してなければステップＳ３以降の処理を繰り返し、視聴が終了した場合にはこの処理を終了する。
【００５３】
つまり、マイクロプロセッサ１２が図２に示す制御を実施することにより、状況に応じてダイバーシティ受信を実施する動作モードと、「シングル受信」を実施する動作モードとを自動的に切り替えることができる。すなわち、携帯電話端末１８の電池１３が充電中であれば、消費電力の増大が問題にならないのでダイバーシティ受信を実施することにより受信状態を改善する。また、携帯電話端末１８の電池１３が充電中でない場合には、検出されたビタビ復号後のビット誤り発生率ＢＥＲの大小に基づいて受信状態の悪化の有無を識別し、受信状態が所定以上に悪化している場合のみダイバーシティ受信を実施する。従って、受信状態の悪化に伴う番組視聴品質の劣化を抑制できる。受信状態が悪化していなければ、「シングル受信」に切り替えるので、ＲＦ受信部２又はＲＦ受信部４及び合成部５の電力消費を抑制し、電池１３の消耗を遅らせることができるので、携帯電話端末１８が充電器１９と接続されていない場合でもテレビ番組をより長時間に渡って視聴することが可能になる。
【００５４】
なお、具体例として示した上述の装置の構成及び動作については、例えば以下に示すように、様々な変形が考えられる。
【００５５】
（１）図２のステップＳ３では電池１３が充電中か否かをマイクロプロセッサ１２で識別しているが、充電器１９のコネクタ１５と携帯電話端末１８のコネクタ１４とが物理的にもしくは電気的に接続されているかどうかを適当なスイッチやセンサを用いて検出し、その検出結果を「充電中か否か」と同等の判断要素としてステップＳ３で識別するように変更しても良い。
【００５６】
（２）携帯電話１８と充電器１９との接続形態については有線接続に限らず、例えば電磁誘導を利用して非接触で電力を充電器１９から携帯電話端末１８に供給するように変更しても良い。
【００５７】
（３）図１に示す構成においては、充電制御を行う充電制御部１７を充電器１９が搭載している場合を想定しているが、充電器１９の代わりに充電制御部１７を有しない簡易外部電源のような装置を用いる場合には、携帯電話端末１８側のマイクロプロセッサ１２が充電制御を実施するように変更すればよい。
【００５８】
（４）例えば、電池１３が充電中でないときに電池１３の残電力量を検出し、ステップＳ５の判断において残電力量の大小関係を判断要素として加えるように変更しても良い。更に、ステップＳ５の判断で複数の閾値を用いて３以上の受信状態を識別しても良い。
【産業上の利用可能性】
【００５９】
以上のように、例えば携帯電話端末や携帯型情報端末のような携帯機器を用いてワンセグ放送のようなデジタル放送を受信する場合に、本発明を適用することにより、携帯機器を充電装置のような外部装置から切り離した状態であってもダイバーシティ処理を実施することにより受信状態を改善することが可能であり、しかも電力消費の増大を抑制することが可能である。
【図面の簡単な説明】
【００６０】
【図１】実施の形態におけるデジタル放送受信装置の構成例を示すブロック図である。
【図２】図１に示すデジタル放送受信装置の主要な動作例を示すフローチャートである。
【符号の説明】
【００６１】
１、３  アンテナ
２、４  ＲＦ受信部
５  合成部
６  復調部
７  ＴＤ部
８  ＡＶデコード部
９  表示部
１０  スピーカ
１１  メモリ
１２  マイクロプロセッサ
１３  電池
１４、１５  コネクタ
１６  充電回路
１７  充電制御部
１８  携帯電話端末
１９  充電器
【図１】
2008205701.tif 000003
【図２】
2008205701.tif 000004